(57)【要約】  【課題】  画像の一部領域に注釈情報を付与する機能を有する撮像装置であって、注釈情報の取得忘れを防止しながら、取得した注釈情報がどの画像のどの領域に付与するためのものであるかを明確にし得るものを提供する。  【解決手段】  デジタルカメラ(100)は、注釈情報を付与する画像のファイル名と、その画像のうちの注釈情報を付与する領域と共に、その注釈情報を取得すべき日を記憶部(35)に記憶しておき、実日時を表す計時部(36)の出力に基づいて、記憶している日に、注釈情報を取得すべきであることを表示によって報知する。注釈情報を取得すべき日が画像およびその領域に対応づけられているため、取得した注釈情報と画像および領域との対応関係も明確になる。【選択図】      図２
2005150867.tif 000002
【特許請求の範囲】
【請求項１】
画像を撮影するとともに、画像の一部の領域に対して注釈情報を付与する撮像装置において、
注釈情報を取得する取得手段と、
画像と、その画像のうち注釈情報を付与する領域と、その注釈情報を取得すべき日を記憶する記憶手段と、
実日時を出力する計時手段と、
注釈情報を取得すべき日に、注釈情報を取得すべきことを報知する報知手段
を備えることを特徴とする撮像装置。
【請求項２】
前記報知手段は、注釈情報を取得すべきことを報知する際に、その注釈情報を付与する画像を示すことを特徴とする請求項１に記載の撮像装置。
【請求項３】
前記報知手段は、注釈情報を取得すべきことを報知する際に、その注釈情報を付与する画像と共に、その注釈情報を付与する領域を示すことを特徴とする請求項２に記載の撮像装置。
【請求項４】
前記記憶手段は、注釈情報を取得すべき日と共に、その注釈情報の取得に関する付帯情報を記憶し、
前記報知手段は、注釈情報を取得すべきことを報知する際に、その注釈情報の取得に関する付帯情報を示すことを特徴とする請求項１から請求項３までのいずれか１項に記載の撮像装置。
【請求項５】
前記報知手段は、当該撮像装置への電力供給が開始されたときに、注釈情報を取得すべきことを報知することを特徴とする請求項１から請求項４までのいずれか１項に記載の撮像装置。
【請求項６】
前記報知手段は、注釈情報を取得すべき日が経過した後、その注釈情報が取得されていないとき、注釈情報を取得すべき日が経過したことを報知することを特徴とする請求項１から請求項５までのいずれか１項に記載の撮像装置。
【請求項７】
画像の一部の領域に対して注釈情報を付与するための準備を行う注釈情報付与準備装置において、
画像の指定と、その画像のうち注釈情報を付与する領域の指定と、その注釈情報を取得すべき日の入力を受け付ける入力手段と、
画像と、その画像のうち注釈情報を付与する領域と、その注釈情報を取得すべき日を出力する出力手段
を備えることを特徴とする注釈情報付与準備装置。
【請求項８】
前記入力手段は、注釈情報を取得すべき日と共に、その注釈情報の取得に関する付帯情報の入力を受け付け、
前記出力手段は、画像と、その画像のうち注釈情報を付与する領域と、その注釈情報を取得すべき日に加えて、その注釈情報の取得に関する付帯情報を出力することを特徴とする請求項７に記載の注釈情報付与準備装置。
【請求項９】
画像の一部の領域に対して注釈情報を付与するための準備をコンピュータに実行させる命令が記された注釈情報付与準備プログラムにおいて、
画像の指定と、その画像のうち注釈情報を付与する領域の指定と、注釈情報を取得すべき日の入力を受け付ける命令と、
画像と、その画像のうち注釈情報を付与する領域と、その注釈情報を取得すべき日を出力する命令
が記されていることを特徴とする注釈情報準備プログラム。
【発明の詳細な説明】
【技術分野】
【０００１】
本発明は、画像の一部の領域に対して注釈情報を付与する撮像装置に関し、特に、注釈情報を取得すべき日をあらかじめ定めておいて当日に注釈情報の取得を促す撮像装置、ならびにその準備をする装置およびプログラムに関する。
【背景技術】
【０００２】
近年、デジタルカメラで撮影した画像の一部の領域に注釈情報を付与して、画像が有する情報伝達の機能を高めることが提案されている。画像への注釈情報の付与は画像を撮影したデジタルカメラ自体で行われることもあれば、画像をパーソナルコンピュータに伝送して、パーソナルコンピュータ上で行われることもある。いずれにしても、使用者は、画像の任意の位置に任意の大きさの領域を設けて、画像、音声、文字列等を注釈情報として付与することができる。１つの画像に複数の注釈情報を付与することも可能である。
【０００３】
一方、特開２００２−１８３０９９号には、行事データを記憶しておき、その行事の日時が近づいたら画像、音声等で使用者に報知することで、撮影忘れを防止するようにしたカメラが提案されている。
【特許文献１】特開２００２−１８３０９９号公報
【発明の開示】
【発明が解決しようとする課題】
【０００４】
画像の一部の領域に注釈情報を付与する場合、注釈情報によっては、その注釈情報を特定の日に取得するのが必要なことや、好ましいことがある。例えば、ある寺院を撮影した画像に、その寺院で行われる祭事の様子を説明するために、その祭事を撮影した画像を注釈情報として付与するときは、注釈情報である画像を祭事が行われる日に撮影しなければならない。上記公報の方法は、このように特定の日に取得すべき注釈情報を、その当日に確実に取得するようにするためにも有用である。
【０００５】
しかしながら、画像の一部の領域に付すための注釈情報にあっては、単に取得すべき日を報知するだけでは、注釈情報の取得忘れを防止することはできるものの、取得した注釈情報がどの画像のどの領域に付与するためのものであるかが判らなくなる。この場合、使用者は、取得した注釈情報と画像および領域との対応関係を、自身の記憶によって判断することになる。しかし、多くの注釈情報を取得した場合は、注釈情報と画像および領域との対応関係に混乱が生じ易くなって、注釈情報を他の画像に付与したり、他の領域に付与したりする危険性が高くなる。
【０００６】
本発明は、このような問題点に鑑みてなされたもので、注釈情報の取得忘れを防止しながら、取得した注釈情報がどの画像のどの領域に付与するためのものであるかを明確にし得る撮像装置を提供することを目的とする。また、画像の一部の領域に注釈情報付与するための準備を行う装置およびプログラムであって、注釈情報の取得忘れを防止しながら、取得した注釈情報がどの画像のどの領域に付与するためのものであるかを明確にし得るものを提供することを目的とする。
【課題を解決するための手段】
【０００７】
上記目的を達成するために、本発明では、画像を撮影するとともに、画像の一部の領域に対して注釈情報を付与する撮像装置において、注釈情報を取得する取得手段と、画像と、その画像のうち注釈情報を付与する領域と、その注釈情報を取得すべき日を記憶する記憶手段と、実日時を出力する計時手段と、注釈情報を取得すべき日に、注釈情報を取得すべきことを報知する報知手段を備えるようにする。
【０００８】
この撮像装置では、注釈情報を取得すべき日を記憶しておいて、その日に注釈情報を取得すべきことを報知するため、注釈情報の取得忘れを防止することができる。しかも、注釈情報を取得すべき日だけでなく、その注釈情報を付与する画像およびそのうちの一部の領域を記憶しておくため、取得した注釈情報がどの画像のどの領域に付与するものであるかが明確になる。なお、取得する注釈情報は、画像に限らず、文字列や音声であってもよい。
【０００９】
ここで、前記報知手段は、注釈情報を取得すべきことを報知する際に、その注釈情報を付与する画像を示すようにするとよい。このようにすると、どの画像に付与する注釈情報を取得るのかが使用者に判り、画像に応じた適切な注釈情報を取得することができるようになる。
【００１０】
また、前記報知手段は、注釈情報を取得すべきことを報知する際に、その注釈情報を付与する画像と共に、その注釈情報を付与する領域を示すようにするとよい。画像だけでなくそのうちのどの領域に付与する注釈情報を取得するのかが使用者に判り、一層適切な注釈情報の取得が可能になる。
【００１１】
前記記憶手段は、注釈情報を取得すべき日と共に、その注釈情報の取得に関する付帯情報を記憶し、前記報知手段は、注釈情報を取得すべきことを報知する際に、その注釈情報の取得に関する付帯情報を示すようにするとよい。付帯情報によって、取得する注釈情報の種類、注釈情報の取得方法等を使用者に知らせることが可能になり、適切な注釈情報の取得が容易になる。
【００１２】
前記報知手段は、当該撮像装置への電力供給が開始されたときに、注釈情報を取得すべきことを報知するようにするとよい。このようにすると、撮像装置の使用を開始するときに報知がなされるため、使用者は、画像の撮影等の他の処理に先だって、注釈情報を取得することができるようになる。また、撮像装置を使用するごとに報知がなされることになって、使用者が報知にかかわらず注釈情報の取得をしなかったときでも、注釈情報の取得を再度促すことができる。
【００１３】
前記報知手段は、注釈情報を取得すべき日が経過した後、その注釈情報が取得されていないとき、注釈情報を取得すべき日が経過したことを報知するようにしてもよい。このようにすると、使用者は、取得し忘れた注釈情報があることを知ることができ、速やかにその注釈情報を取得する等の、善後策を講じることができる。
【００１４】
前記目的を達成するために、本発明ではまた、画像の一部の領域に対して注釈情報を付与するための準備を行う注釈情報付与準備装置において、画像の指定と、その画像のうち注釈情報を付与する領域の指定と、その注釈情報を取得すべき日の入力を受け付ける入力手段と、画像と、その画像のうち注釈情報を付与する領域と、その注釈情報を取得すべき日を出力する出力手段を備えるようにする。
【００１５】
この装置は、注釈情報を取得すべき日を入力されて、注釈情報を取得する機能を有する他の装置に、あるいは、そのような装置と共用する記録媒体に、入力された日を出力する。したがって、他の装置での注釈情報の取得忘れを防止することが可能である。しかも、注釈情報を取得すべき日だけでなく、その注釈情報を付与する画像およびそのうちの一部の領域の指定を受け付けて、これらも出力するため、注釈情報を取得する他の装置では、取得した注釈情報がどの画像のどの領域に付与するものであるかが明確になる。
【００１６】
ここで、前記入力手段は、注釈情報を取得すべき日と共に、その注釈情報の取得に関する付帯情報の入力を受け付け、前記出力手段は、画像と、その画像のうち注釈情報を付与する領域と、その注釈情報を取得すべき日に加えて、その注釈情報の取得に関する付帯情報を出力するようにするとよい。このようにすると、付帯情報によって、取得する注釈情報の種類、注釈情報の取得方法等を、注釈情報を取得する他の装置の使用者に知らせることが可能なり、適切な注釈情報の取得が容易になる。
【００１７】
前記目的を達成するために、本発明ではまた、画像の一部の領域に対して注釈情報を付与するための準備をコンピュータに実行させる命令が記された注釈情報付与準備プログラムにおいて、画像の指定と、その画像のうち注釈情報を付与する領域の指定と、注釈情報を取得すべき日の入力を受け付ける命令と、画像と、その画像のうち注釈情報を付与する領域と、その注釈情報を取得すべき日を出力する命令が記されているようにする。
【発明の効果】
【００１８】
本発明によれば、注釈情報の取得忘れを防止することができる上、取得した注釈情報がどの画像のどの領域に付与するためのものであるかを明確にすることが可能である。したがって、注釈情報を画像の一部の領域に付与する処理が容易になり、また、注釈情報を適切な画像および領域に付与することができて、注釈情報を画像の一部の領域に対して付与することの意義が確保される。
【発明を実施するための最良の形態】
【００１９】
以下、本発明の実施形態について図面を参照しながら説明する。第１の実施形態であるデジタルカメラ１００を図１に示す。図１において（ａ）、（ｂ）はそれぞれデジタルカメラ１００の斜視図および背面図である。
【００２０】
デジタルカメラ１００は、前面に撮影レンズ１、ファインダ前窓３、フラッシュ発光部４、上面にレリーズボタン５、液晶表示器６、２つの撮影モード設定ボタン７、側面に着脱可能な記録媒体１０１を装着するための挿入口８、背面に液晶表示器９、ファインダ後窓１０、ズームボタン１１、３つの操作ボタン１２、十字ボタン１３、マイクロフォン１４、およびスピーカ１５を備えている。デジタルカメラ１００は、ＣＣＤエリアセンサ２を内蔵しており、撮影対象からの光を撮影レンズ１でＣＣＤセンサ２上に結像させて、電気信号に変換することにより画像を撮影する。
【００２１】
撮影した画像には、使用者が指定する領域に、注釈情報（アノテーション）を付与することができる。アノテーションには、画像、文字列、および音声の３種がある。以下、アノテーションとしての画像、文字列および音声を、それぞれアノテーション画像、アノテーション文字列、アノテーション音声とよび、アノテーションが付与された画像およびアノテーションが付与される画像を親画像ともよぶ。アノテーション画像は、他の画像と同様に、撮影によって得られる。アノテーション文字列は、キーボード像が液晶表示器９に表示されている状態で、操作ボタン１２および十字ボタン１３を操作することによって入力される。また、アノテーション音声はマイクロフォン１４を介して入力される。
【００２２】
アノテーション画像を含む全ての画像は、液晶表示器９に表示することができる。アノテーション文字列も液晶表示器９に表示することができる。アノテーション音声はスピーカ１５から出力することができる。
【００２３】
レリーズボタン５は、半押しされたときに、自動露光制御および自動焦点調節を指示するＳ１信号を発し、全押しされたときに、記録する画像の撮影開始と、撮影した画像の記録媒体１０１への記録を指示するＳ２信号を発する。液晶表示器６は、デジタルカメラ１００の設定状況を表示する。デジタルカメラ１００は、親画像を含む通常の画像を撮影する通常撮影モードとアノテーション画像を撮影するアノテーション撮影モードとを有しており、撮影モード設定ボタン７はこれらのモードの切り換えの指示のために操作される。記録媒体１０１は撮影された画像を記録するもので、例えば、半導体メモリを内蔵し薄型に構成されたメモリカードを用いることができる。
【００２４】
液晶表示器９は、撮影された画像および操作案内を表示する。デジタルカメラ１００は、画像を撮影する撮影モードと画像を再生表示する再生モードを有しており、撮影モードに上述の通常撮影モードおよびアノテーション撮影モードがある。撮影モードにおいては、略一定の周期で画像の撮影が繰り返し行われ、撮影した画像は直ちに液晶表示器９に表示される。この画像は、撮影中の被写体を表すライブビューとなり、ファインダ後窓１０を介して観察される光学像と共に、フレーミングやズーミングの参考に利用される。
【００２５】
再生モードでは、記録媒体１０１に記録している画像を読み出して、液晶表示器９に表示する。再生モードで表示する画像には、親画像を含む通常の画像と、アノテーション画像が含まれる。再生モードではまた、アノテーション文字列の液晶表示器９への再生表示、アノテーション音声のスピーカ１５からの再生出力も行うことができる。
【００２６】
ズームボタン１１は、ズームレンズである撮影レンズ１の焦点距離の設定のために操作される。操作ボタン１２は、液晶表示器９に操作案内が表示されているときに、項目の選択や決定のために操作される。３つの操作ボタン１２の機能は、表示される操作案内に応じて変化する。操作ボタン１２の機能は、撮影条件に関するものと、アノテーションの付与に関するものに大別される。アノテーションの付与に関する機能で操作ボタン１２を分類すれば、アノテーションの種類やアノテーションを付与する画像（親画像）を選択するための選択ボタン、アノテーションを付与する領域の大きさを切り換えるサイズ切り換えボタン、選択した親画像や切り換えた大きさに決定するための決定ボタン等がある。
【００２７】
十字ボタン１３は、左右方向に並ぶ２つの接点と、上下方向に並ぶ２つの接点の計４接点を有しており、液晶表示器９に表示されるカーソル（ポインタ）の上下左右への移動を指示するために操作される。アノテーションを付与する領域の位置は、この十字ボタン１３を操作することによって、変えることができる。以下、十字ボタン１３を上下左右ボタンともよぶ。
【００２８】
デジタルカメラ１００の構成を図２に模式的に示す。デジタルカメラ１００は、上述の各部のほか、制御部３０、アナログ処理部３１、画像処理部３２、画像記憶部３３、操作部３４、記憶部３５、計時部３６、および接続部３７を備えている。制御部３０はＣＰＵ  を含み、デジタルカメラ１００全体の動作を制御する。制御部３０の機能には、画像へのアノテーションの付与も含まれる。
【００２９】
アナログ処理部３１は、ＣＣＤセンサ２が出力するアナログ信号に、ゲイン調整等の処理を施して、アナログ信号をデジタル信号に変換する。画像処理部３２は、デジタル化された信号に、ホワイトバランス調整、γ補正等の処理を施して、撮影された画像を表す画像データを生成する。画像記憶部３３は画像（画像データ）を一時的に記憶する。
【００３０】
操作部３４は、使用者による操作を受け付けるもので、前述のレリーズボタン５、ズームボタン１１、操作ボタン１２、十字ボタン１３を含む。記憶部３５は、フラッシュメモリ、ＲＯＭ、ＲＡＭ等の記憶媒体を有し、制御部３０のＣＰＵが制御に用いるプログラムおよびパラメータを記憶しており、また、アノテーションに関する情報を記憶する。計時部３６は、リアルタイムクロックより成り、実時刻を出力する。計時部３６の出力には、時、分、秒のほか、年、月、日も含まれる。また、計時部３６は独自の電源を有しており、デジタルカメラ１００への電力供給が停止されている間も、計時動作を継続することができる。
【００３１】
接続部３７は、記録媒体１０１および外部の機器に対するインターフェースを有しており、記憶媒体１０１および外部機器との間でデータを送受する。接続部３７を介してデジタルカメラ１００に接続される外部機器には、後述するパーソナルコンピュータ２００が含まれる。
【００３２】
アノテーション撮影における処理の流れを図３に示し、その処理の間に液晶表示器９に表示する画像の例を図４に示す。以下、これらの図を参照して、アノテーション撮影における処理の流れを説明する。
【００３３】
アノテーション撮影モードに設定されると、まず、親画像を選択する案内画面を液晶表示器９に表示する（図３ステップ＃５）。この案内画面には、図４（ａ）に示すように、記録媒体１０１に記録されている画像のサムネイル画像（縮小画像）を並べて表示する。次いで、選択ボタンの操作によっていずれかの画像が選択され、決定ボタンの操作によって、選択された画像を親画像とすることが指示されるのを待つ（＃１０）。
【００３４】
親画像が決定されると、その画像のどの部分をアノテーションを付与する領域とするかの案内画面を表示する（＃１５）。この案内画面には、図４（ｂ）に示すように、親画像全体と、アノテーションを付与する領域のデフォルトとしてあらかじめ定められている領域を示す枠Ｆを表示する。そして、上下左右ボタンの操作により領域の移動が指示されたか否かを判定し（＃２０）、指示されたときは、図４（ｃ）に示すように、領域（枠Ｆ）を指示に応じて移動させる（＃２５）。
【００３５】
次いで、サイズ切り換えボタンの操作により、領域の大きさの切り換えが指示されたか否かを判定し（＃３０）、指示されたときは、図４（ｄ）に示すように、領域（枠Ｆ）の大きさを切り換える（＃３５）。領域の大きさは、あらかじめ数段階に設定されており、サイズ切り換えボタンが操作されるごとに１段階ずつ大きくしていく。なお、領域の大きさが最大の状態（親画像の全体に一致している状態）でサイズ切り換えボタンが操作されたときには、領域の大きさを最小にする。
【００３６】
次いで、決定ボタンの操作によりアノテーションを付与する領域の位置および大きさの決定が指示されたか否かを判定し（＃４０）、指示がなければステップ＃２０に戻る。指示があったときは、図４（ｅ）に示すよう、ライブビューを表示する（＃４５）。なお、ライブビューとして表示される画像の撮影は、撮影モードに設定された時点で開始しており、ステップ＃５〜＃４０の処理では、表示のみを休止している。
【００３７】
ライブビュー表示後、レリーズボタン５の操作によってＳ２信号が生成されるのを待つ（＃５０）。レリーズボタン５が操作されると、Ｓ２信号に先立ってＳ１信号が生成されるから、Ｓ１信号が生成された時点で、自動露光調節および自動焦点調節を行っておく。
【００３８】
Ｓ２信号が生成されると、画像を撮影し、これをアノテーション画像として、記録媒体１０１に記録する（＃５５）。そして、親画像とアノテーション画像の対応関係を示す関連付けファイルを作成して、記録媒体１０１に記録する（＃６０）。
【００３９】
アノテーション撮影で生成されるファイルのフォルダ構造を図５に示す。親画像のファイルと親画像に付与されたアノテーション画像のファイルは、同じフォルダの下に作成され、親画像であるかアノテーション画像であるかによらず、撮影順に連番が付けられていく。
【００４０】
図５において、Ａは親画像のファイルであり、通常撮影モードで撮影されたもの、または、使用者によってあらかじめ記録媒体１０１に記録されたものである。Ｂはアノテーション画像のファイルであり、Ｃは関連付けファイルである。関連付けファイルＣには、フォルダ名を含むパス名、親画像のファイル名、親画像の撮影日時、アノテーション画像が付与されている領域の位置および大きさ、その領域に付与されているアノテーション画像のファイル名が記される。
【００４１】
図には示さないが、アノテーション文字列とアノテーション音声も、アノテーション画像と同様に、それぞれファイルに記録され、親画像のファイルと同じフォルダに収容される。その場合、関連付けファイルには、アノテーション文字列またはアノテーション音声のファイル名が記される。アノテーションの種類は、例えば、ファイル名の拡張子で区別する。
【００４２】
なお、親画像とアノテーションとの関係を示す関連付けファイルを作成することに代えて、それらの関係を示す情報を親画像のファイルのタグ（ヘッダ）やアノテーションのファイルのタグに記録するようにしてもよい。この場合、タグに記録する情報には、親画像であるかアノテーションであるかの区別、親画像については、撮影日時、アノテーションが付与されている領域の位置および大きさ、その領域に付与されているアノテーションのファイル名、アノテーションについては、親画像のファイル名、当該アノテーションが付与されている親画像の領域の位置および大きさを含める。
【００４３】
これらの情報を、親画像のファイルのタグのみに記録するようにしてもよいし、アノテーションのファイルのタグのみに記録するようにしてもよい。また、親画像とアノテーションの関係を関連付けファイルに記録する場合もファイルのタグに記録する場合も、アノテーションの取得日時を含めるようにしてもよい。
【００４４】
デジタルカメラ１００において、アノテーションが付与された親画像を再生表示するときに、最初に表示する画面のいくつかの例を図６に示す。再生モードに設定されると、親画像とアノテーション画像が、サムネイル画像として並べて表示され、アノテーションがどの親画像に付与されたものであるかを示す像も表示される。アノテーション文字列とアノテーション音声も表示されるが、これらについては、サムネイル画像を表示することはできないので、それぞれ所定の図形で表す。
【００４５】
（ａ）は、２つの親画像Ｍ１、Ｍ３と２つのアノテーション画像Ｍ２、Ｍ４を表示したものである。親画像Ｍ１、Ｍ３は画面の左側に表示され、アノテーション画像Ｍ２、Ｍ４は画面の右側に表示される。アノテーション画像Ｍ２と親画像Ｍ１との間に表示されている左向きの三角形の像は、前者が後者に付与されていることを示し、同様に、アノテーション画像Ｍ４と親画像Ｍ３との間に表示されている左向きの三角形の像は、前者が後者に付与されていることを示す。
【００４６】
（ｂ）は、１つの親画像Ｍ１と２つのアノテーション画像Ｍ２、Ｍ４を表示したものである。２つのアノテーション画像Ｍ２、Ｍ４を長方形の像が囲んでおり、この長方形の像が左向きの三角形の像に連なっている。これらの像は、アノテーション画像Ｍ２、Ｍ４が共に親画像Ｍ１に付与されていることを示す。親画像Ｍ１の下方には、下向きの三角形の像Ｎ１が表示されており、この像Ｎ１は、親画像Ｍ１以外の親画像が存在することを示す。上下左右ボタンで親画像を選択し、さらに下ボタン（上下左右ボタンの一部）を操作すると、次の親画像と、それに付与されているアノテーションが表示される。
【００４７】
（ｃ）も、１つの親画像Ｍ１と２つのアノテーション画像Ｍ２、Ｍ４を表示したものである。（ｂ）との相違は、三角形の像Ｎ１に代えて別の三角形の像Ｎ２が表示されている点である。この像Ｎ２は、アノテーション画像Ｍ２、Ｍ４の下方に表示されており、アノテーション画像Ｍ２、Ｍ４のほかにも親画像Ｍ１に付与されているアノテーションが存在することを示す。上下左右ボタンでアノテーション画像Ｍ４を選択し、さらに下ボタンを操作すると、親画像Ｍ１に付与されている次のアノテーションが表示される。
【００４８】
（ｄ）は、２つの親画像Ｍ１、Ｍ４と、４つのアノテーション画像Ｍ２、Ｍ３、Ｍ５、Ｍ６を表示したものである。アノテーション画像Ｍ２、Ｍ３は親画像Ｍ１に並べて表示されており、アノテーション画像Ｍ５、Ｍ６は親画像Ｍ２に並べて表示されている。アノテーション画像Ｍ２と親画像Ｍ１の間に表示されている左向きの三角形の像は、アノテーション画像Ｍ２、Ｍ３が親画像Ｍ１に付与されていることを示しており、同様に、アノテーション画像Ｍ５と親画像Ｍ４の間に表示されている左向きの三角形の像は、アノテーション画像Ｍ５、Ｍ６が親画像Ｍ４に付与されていることを示している。
【００４９】
このような形態で親画像とアノテーションを表示することで、親画像とアノテーションの関係を判り易く示すことができる。なお、ここに示した例よりも多くのサムネイル画像を一度に表示するようにしてもよい。
【００５０】
前述のように、デジタルカメラ１では、アノテーションを付与する画像およびその一部の領域を、アノテーションを付与する時点で任意に指定することができるが、デジタルカメラ１００は、このほか、アノテーションを付与する画像とその領域とをあらかじめ記憶しておき、アノテーションを取得するときに、画像と領域を、記憶しているものの中から選択できるようにする機能を有する。この機能をアノテーション取得ガイドという。また、この機能によってアノテーション画像を撮影することをアノテーションガイド撮影という。
【００５１】
すなわち、デジタルカメラ１００の撮影モードには、前述の通常撮影モードとアノテーション撮影モードのほか、アノテーションガイド撮影を行うアノテーションガイド撮影モードがある。アノテーション撮影モードとアノテーションガイド撮影モードは切り換え可能であり、撮影モード設定ボタン７の操作によって切り換えられる。
【００５２】
アノテーション取得ガイドにより、使用者は、時間に余裕があるときに、アノテーションを付す画像と領域とを決めておくことができて、アノテーションの取得時には、どの画像のどの領域にアノテーションを付与するかを考える必要がなくなる。アノテーション取得ガイドでは、取得すべきアノテーションの種類（画像、文字列、音声）や、どのような方法で、あるいは何処でそのアノテーションを取得すべきかを示す付帯情報（以下、コメントともいう）を記憶しておいて、その情報を提供することもできる。これにより、適切なアノテーションの取得が容易になる。なお、アノテーション取得ガイドで用いる全ての情報、すなわち、親画像のファイル名、親画像のうちのアノテーションを付与する領域、およびコメントは、記憶部３５に記憶しておく。
【００５３】
アノテーション取得ガイドでは、アノテーションを取得すべき日をあらかじめ定めて、記憶しておくこともできる。デジタルカメラ１００は、取得日が定められているアノテーションがあるときは、その当日にアノテーションを取得すべき日であることを報知し、これによってアノテーションの取得忘れを防止する。なお、アノテーションを取得すべき日は、親画像のファイル名、親画像のうちのアノテーションを付与する領域と共に、記憶部３５に記憶しておく。また、計時部３６の出力から実際の日付を判断する。
【００５４】
アノテーションガイド撮影における処理の流れを図７に示し、その処理の間に液晶表示器９に表示する画像の例を図８に示す。以下、これらの図を参照して、アノテーションガイド撮影における処理の流れを説明する。
【００５５】
アノテーションガイド撮影では、まず、親画像を選択するための案内画面を液晶表示器９に表示する（図７ステップ＃１０５）。この案内画面には、図８（ａ）に示すように、記録媒体１０１に記録されている画像のサムネイル画像を並べて表示する。
【００５６】
このとき、アノテーション画像が未だ付与されておらず、そのアノテーション画像をその当日に撮影すべき領域を含む画像があれば、図８（ｂ）に示すように、アノテーション画像を撮影すべき日であることを報知するメッセージを表示する。そして、その親画像を他とは異なる態様で表示して、どの親画像に付すアノテーション画像を当日撮影するのかを示す。例えば、サムネイル画像の縁の色を他とは違えたり、点滅させたりする。
【００５７】
また、アノテーション画像が未だ付与されておらず、そのアノテーション画像を撮影すべき日が既に経過している領域を含む画像があれば、図８（ｃ）に示すように、アノテーション画像を撮影すべき日が経過していることを報知するメッセージを表示する。この場合も、その親画像を他とは異なる態様で表示して、どの親画像に付すアノテーション画像が未撮影であるのかを示す。
【００５８】
次いで、選択ボタンの操作によっていずれかの画像が選択され、決定ボタンの操作によって、選択された画像を親画像とすることが指示されるのを待つ（＃１１０）。ここで、アノテーション取得ガイドの対象ではない画像、すなわち、アノテーションを付与する領域が定められていない画像が親画像として決定されときは、これ以降、図３のステップ＃１５からの処理を行う。
【００５９】
アノテーション取得ガイドの対象の画像、すなわち、アノテーションを付与する領域が定められている画像が親画像として決定されときは、その画像に定められている領域のうちのどれをアノテーションを付与する領域として選択するかの案内画面を表示する（＃１１５）。この案内画面には、図８（ｄ）に示すように、親画像全体と、アノテーションを付与する領域として定められており、未だアノテーションが付与されていない領域を示す枠Ｆ２を表示する。
【００６０】
このとき、アノテーション画像を当日撮影すべき領域については、図８（ｅ）に示すように、その領域を他の領域とは異なる態様で表示し、どの領域に付すアノテーション画像を当日撮影するのかを示す。例えば、枠Ｆ２の色を他とは違えたり、点滅させたりする。
【００６１】
そして、上下左右ボタンの操作により領域の変更が指示されたか否かを判定し（＃１２０）、指示されたときは、図８（ｆ）、（ｇ）に示すように、選択する領域を示す枠Ｆを指示に応じて移動させる（＃１２５）。また、その領域に付与するアノテーション画像についてのコメントがあるか否かを判定し（＃１３０）、コメントがあれば、図８（ｈ）に示すように、そのコメントＧを表示する。
【００６２】
次いで、決定ボタンの操作によりアノテーションを付与する領域の決定が指示されたか否かを判定し（＃１４０）、指示がなければステップ＃１２０に戻る。指示があったときは、図８（ｉ）に示すよう、ライブビューを表示する（＃１４５）。なお、ライブビューとして表示される画像の撮影は、撮影モードに設定された時点で開始しており、ステップ＃１０５〜＃１４０の処理では、表示のみを休止している。
【００６３】
ライブビュー表示後、レリーズボタン５の操作によってＳ２信号が生成されるのを待つ（＃１５０）。レリーズボタン５が操作されると、Ｓ２信号に先立ってＳ１信号が生成されるから、Ｓ１信号が生成された時点で、自動露光調節および自動焦点調節を行っておく。
【００６４】
Ｓ２信号が生成されると、画像を撮影し、これをアノテーション画像として、記録媒体１０１に記録する（＃１５５）。そして、親画像とアノテーション画像の対応関係を示す関連付けファイルを作成して、記録媒体１０１に記録する（＃１６０）。
【００６５】
なお、ここでは、アノテーション画像を撮影すべき日であることや、アノテーション画像を撮影すべき日が経過していることの報知を表示によって行うようにしているが、スピーカ１５からの音声出力によって、報知を行うようにしてもよい。また、ここに示した例は、アノテーションとしての画像を撮影するときのものであるが、アノテーション取得ガイドによりアノテーション文字列やアノテーション音声を取得する場合も、取得方法が異なるだけで、同様の処理となる。
【００６６】
上記の例ではアノテーションガイド撮影を任意のときに行うことができるが、アノテーション取得ガイドによってアノテーションを取得する時期を、デジタルカメラ１００の使用開始時、すなわちデジタルカメラ１００への電力供給開始時に限って行うようにしてもよい。その場合の、電力供給開始から停止までの処理の流れを図９に示す。
【００６７】
デジタルカメラ１００への電力供給が開始されると（ステップ＃２０５）、まず、記憶部３５を参照して、アノテーションの取得に関する情報を確認する（＃２１０）。そして、アノテーションを取得する予定があるか否かを判定し（＃２１５）、なければ、通常撮影モード、アノテーション撮影モード、再生モード等の通常の動作を行う（＃２２０）。そして、デジタルカメラ１００の使用終了が指示されたか否かを判定して（＃２２５）、指示されたときは電力供給を停止し（＃２３０）、指示されていなければステップ＃２１５に戻る。
【００６８】
ステップ＃２１５の判定で、アノテーションを取得する予定があるときは、当日に取得すべきアノテーションがあるか否かを判定する（＃２３５）。当日取得すべきアノテーションがあるときは、当日取得すべき全てのアノテーションの予定を液晶表示器９に表示し（＃２４０）、親画像とその領域の選択を受け付ける（＃２４５）。その際、図８（ａ）、（ｄ）〜（ｇ）に示したように、親画像や領域を表示して選択を容易にするとともに、コメントがあれば、図８（ｈ）に示したように、コメントも表示して、どのようなアノテーションを取得すべきかを明らかにする。
【００６９】
次いで、アノテーションを取得し（＃２５０）、記憶部３５が記憶しているアノテーションの取得に関する情報を更新して、そのアノテーションが取得済みであることを記す（＃２５５）。そして、ステップ＃２２５に進む。
【００７０】
ステップ＃２３５の判定で、当日に取得すべきアノテーションがないときは、取得すべき日が既に経過しているアノテーションがあるか否かを判定する（＃２６０）。そして、経過しているアノテーションがあれば、警告を表示し（＃２６５）、取得すべき日が経過している全てのアノテーションの予定を液晶表示器９に表示して（＃２７０）、ステップ＃２４５に進む。取得すべき日が経過しているアノテーションがなければ、ステップ＃２２５に進む。
【００７１】
この処理では、ステップ＃２３５〜＃２５５の後、使用終了が指示されていない限り、アノテーションの取得に関する情報があれば再度ステップ＃２３５に進むことになり、当日取得すべき全てのアノテーションを連続して取得することができる。また、同様に、取得すべき日が経過している全てのアノテーションを連続して取得することができる。
【００７２】
なお、ステップ＃２５０で取得したアノテーションがどの画像のどの領域に付与するものであるかは、記憶部３５が記憶しているアノテーションの取得に関する情報に記されているから、アノテーションを画像に付与する処理（関連付けファイルの作成または更新）を、後に誤りなく行うことができる。ステップ＃２５５に続けて、アノテーションを画像に付与する処理を行ってもよい。
【００７３】
第２の実施形態であるパーソナルコンピュータ２００を図１０に示す。パーソナルコンピュータ２００は、ＣＰＵ、メモリ、ハードディスク等より成る制御部を内蔵した本体２１、キーボード２２、マウス２３、および表示部２４を備えている。本体２１には、前述の記録媒体１０１および光ディスク等の他の記録媒体を装着することが可能であり、デジタルカメラ１００やインターネットを接続することもできる。また、図示しないが、本体２１にはスピーカが備えられており、マイクロフォンを接続することもできる。
【００７４】
パーソナルコンピュータ２００は、画像を撮影することはできないが、デジタルカメラ１００と同様に、画像の一部の領域にアノテーションを付与する機能と、画像およびアノテーションを再生する機能を有する。親画像、アノテーション画像、およびアノテーション文字列の再生は表示部２４に表示することによって行い、アノテーション音声の再生はスピーカからの出力によって行う。これらの機能に関する処理をはじめ、パーソナルコンピュータ２００が行う全ての処理はハードディスクに記録されている。
【００７５】
アノテーションを付与される画像は、他の装置、例えばデジタルカメラ１００で撮影されて、パーソナルコンピュータ２００に提供される。画像は、記録媒体１０１に記録されて、または不図示のケーブルを介して提供される。なお、インターネット上のウェブサイトからのダウンロード、あるいは電子メールの添付ファイルとして画像を取得することも可能である。
【００７６】
パーソナルコンピュータ２００では、アノテーションを付与する際の親画像の選択や、アノテーションを付与する領域の位置や大きさの設定は、表示部２４に操作案内を表示して、デジタルカメラ１００と同様にして行う。操作にはキーボード２２あるいはマウス２３を用いる。アノテーションの選択も、親画像の選択と同様にして行う。
【００７７】
パーソナルコンピュータ２００において、アノテーション画像が付与された親画像を再生表示するときの表示例を図１１に示す。まず、（ａ）に示すように、親画像とアノテーション画像が、サムネイル画像として並べて表示され、アノテーション画像がどの親画像に付与されたものであるかを示す前述の像も表示される。なお、アノテーション文字列やアノテーション音声は、サムネイル画像として表すことができないので、それぞれ所定の図形で表す。
【００７８】
この例では、３つの親画像Ｍ１、Ｍ３、Ｍ５と１１のアノテーション画像が表示されている。６つのアノテーション画像Ｍ２は、親画像Ｍ１に付与されており、３つのアノテーション画像Ｍ４は親画像Ｍ３に付与されており、２つのアノテーション画像Ｍ６は親画像Ｍ５に付与されている。
【００７９】
表示されているサムネイル画像はいずれも、マウス２３またはキーボード２２の操作によって選択することができる。アノテーション文字列やアノテーション音声を表す図形も同様である。
【００８０】
いずれかの親画像のサムネイル画像を選択すると、その画像が縮小前の通常の形態で表示され、その親画像に付与されているアノテーション画像のサムネイル画像とファイル名も表示される。図１１の（ｂ）はその一例である。表示されたファイル名も選択可能である。
【００８１】
この状態で、いずれかのアノテーション画像のサムネイル画像またはファイル名を選択すると、そのアノテーション画像が付与されている領域を示す枠Ｆが、表示中の親画像に重ねて表示される。図１１の（ｃ）はその一例である。このように、枠Ｆを親画像に重ねて表示することで、親画像のどの部分に対してアノテーション画像が付与されているのかが明確になる。
【００８２】
パーソナルコンピュータ２００は、デジタルカメラ１００が行うアノテーション付与ガイドの準備を行う機能を有する。すなわち、パーソナルコンピュータ２００の使用者は、アノテーションを付与する親画像とそのうちの一部の領域を指定することができ、また、そのアノテーションを取得すべき日を入力することができる。アノテーションを取得すべき日の入力に際しては、前述のコメントを入力することも可能である。
【００８３】
この機能に関してパーソナルコンピュータ２００が、表示部２４に表示する案内画面の例を図１２に示す。画面の左半分に親画像Ｍが表示され、その中にアノテーションを付与する領域を示す枠Ｆが表示される。なお、ここに表示する親画像Ｍは、サムネイル画像を並べて表示しておき、その中から使用者が指定したものである。また、アノテーションを付与する領域の指定は、デジタルカメラ１００におけるアノテーション撮影での領域の指定（図４（ｂ）〜（ｄ））と同様に行うことができる。すなわち、まず、デフォルトの領域を示す枠Ｆを表示し、使用者がこの領域の位置や大きさを変更する。
【００８４】
画面の右半分には、アノテーションを取得すべき年月日を入力する欄Ｄ１と、そのアノテーションの種類を選択する欄Ｄ２と、そのアノテーションの取得に関するコメントを入力する欄Ｄ３が表示される。使用者は、キーボード２２の操作によって年月日の欄Ｄ１とコメントの欄Ｄ３に入力を行い、また、キーボード２２またはマウス２３の操作によって種類の欄Ｄ２の選択を行う。なお、アノテーションの種類として文字列または音声が選択されたときは、コメントの欄Ｄ３の先頭に、「文字列で」または「音声で」のコメントが自動的に加えられる。
【００８５】
こうして指定された領域ならびに入力された年月日、種類、およびコメントは、親画像Ｍに対応づけて記憶され、使用者からの指示に応じて、親画像Ｍと共に、デジタルカメラ１００に送信され、あるいは記録媒体１０１に記録される。デジタルカメラ１００では、送信された、あるいは記録媒体１０１から読み出した年月日、種類、およびコメントを、その親画像のファイル名に対応づけて記憶部３５に記憶し、アノテーション付与ガイドで利用する。
【００８６】
デジタルカメラ１００自体で、図１２に示した案内画面を表示し、アノテーション付与ガイドの準備を行うようにすることもできる。その場合、数値や文字の入力を補助するためにキーボード像を表示して、使用者が、十字ボタン１３と操作ボタン１２の操作によって入力する数値や文字を選択するようにする。
【図面の簡単な説明】
【００８７】
【図１】第１の実施形態のデジタルカメラを模式的に示す図。
【図２】上記デジタルカメラの構成を模式的に示す図。
【図３】上記デジタルカメラのアノテーション撮影における処理の流れを示すフローチャート。
【図４】上記デジタルカメラがアノテーション撮影の処理の間に表示する画像の例を示す図。
【図５】上記デジタルカメラがアノテーション撮影の処理で生成するファイルのフォルダ構造を示す図。
【図６】上記デジタルカメラにおいて、アノテーション画像が付与された親画像を再生表示するときに最初に表示する画面の例を示す図。
【図７】上記デジタルカメラのアノテーションガイド撮影における処理の流れを示すフローチャート。
【図８】上記デジタルカメラがアノテーションガイド撮影の処理の間に表示する画像の例を示す図。
【図９】上記デジタルカメラにおけるアノテーション取得ガイドの他の処理の流れを示すフローチャート。
【図１０】第２の実施形態のパーソナルコンピュータを模式的に示す図。
【図１１】上記パーソナルコンピュータにおいて、アノテーション画像が付与された親画像を再生表示するときの表示の例を示す図。
【図１２】上記パーソナルコンピュータがアノテーション取得ガイドの準備のために表示する画面の例を示す図。
【符号の説明】
【００８８】
１００    デジタルカメラ
１    撮影レンズ
２    ＣＣＤエリアセンサ
３    ファインダ前窓
４    フラッシュ発光部
５    レリーズボタン
６    液晶表示器
７    撮影モード設定ボタン
８    記録媒体挿入口
９    液晶表示器
１０    ファインダ後窓
１１    ズームボタン
１２    操作ボタン
１３    十字ボタン
１４    マイクロフォン
１５    スピーカ
３０    制御部
３１    アナログ処理部
３２    画像処理部
３３    画像記憶部
３４    操作部
３５    記憶部
３６    計時部
３７    接続部
１０１    記録媒体
２００    パーソナルコンピュータ
２１    本体
２２    キーボード
２３    マウス
２４    表示部
【図１】
2005150867.tif 000003
【図２】
2005150867.tif 000004
【図３】
2005150867.tif 000005
【図４】
2005150867.tif 000006
【図５】
2005150867.tif 000007
【図６】
2005150867.tif 000008
【図７】
2005150867.tif 000009
【図８】
2005150867.tif 000010
【図９】
2005150867.tif 000011
【図１０】
2005150867.tif 000012
【図１１】
2005150867.tif 000013
【図１２】
2005150867.tif 000014